(57)【要約】【課題】従来の火力調節装置では、ニードルを取り出すためには、モータ、カム溝、ガイド溝等の部品を個々に取り外す必要があり、また、ニードルを交換した後はこれら取り外した部品を全て順次組み付けなければならず、作業が非常に煩雑になる。【解決手段】モータとカム溝およびガイド溝とをサブアッセンブリとして一体に組み付け、ニードルが収納されている装置本体に対して着脱自在に設けると共に、サブアッセンブリを装置本体から取り外す際に、火力調節範囲から外れた位置にカム溝およびガイド溝から上記ピンが外れてサブアッセンブリを取り外してもニードルが装置本体内に残留する分解位置を設定した。【選択図】  図３
2010276288.tif 000002
【特許請求の範囲】
【請求項１】
進退することによりガスの流量を増減するニードルを備えると共に、ニードルと共に進退するピンをニードルの進退方向に対して直角に突設し、ニードルの進退方向に対して所定の角度で交差するカム溝と、ニードルの進退方向に対して平行なガイド溝との双方にピンを係合させ、カム溝とガイド溝とのいずれか一方を他方に対してモータにより変位させることにより、ピンを介してニードルを進退させる火力調節装置において、モータとカム溝およびガイド溝とをサブアッセンブリとして一体に組み付け、ニードルが収納されている装置本体に対して着脱自在に設けると共に、サブアッセンブリを装置本体から取り外す際に、火力調節範囲から外れた位置にカム溝およびガイド溝から上記ピンが外れてサブアッセンブリを取り外してもニードルが装置本体内に残留する分解位置を設定したことを特徴とする火力調節装置。
【請求項２】
上記ニードルとピンとの間に緩衝機構を設けて、ニードルが前進端まで移動し装置本体に当接した状態で、さらにモータがピンを前進させる場合に緩衝機構によってピンのみを前進させてモータのトルクの上昇を緩和するようにしたことを特徴とする請求項１に記載の火力調節装置。
【発明の詳細な説明】
【技術分野】
【０００１】
本発明は、モータでニードルを進退させることによってバーナに供給されるガス量を増減する火力調節装置に関する。
【背景技術】
【０００２】
従来より、ニードルを進退させてバーナへのガスの流量を増減することによってバーナの火力を調節する火力調節装置が知られている。古くは手動レバーによってニードルを進退させていたが、その後レバーに変えてモータを用いて、手動ではなく電動によって火力を調節する火力調節装置が知られるようになった（例えば、特許文献１参照）。
【０００３】
具体的には、ニードルは筒状の装置本体内に進退自在に収納されており、このニードルが前進端位置に設けられた段部に当接するまで前進するとガスの流量が最小になり、バーナの火力は最小になる。逆にニードルを後退端まで後退させるとガスの流量が最大になり、バーナの火力が最大になる。そして、ニードルはこれら前進端位置と後退端位置との間、即ち火力調節範囲内で進退する。
【０００４】
ニードルにはこの進退方向に対して直角方向にピンが突設されており、このピンは装置本体の外部まで突出している。一方、装置本体の外部にはニードルの進退方向に対して所定の角度で交差するカム溝と、ニードルの進退方向に対して平行なガイド溝とが設けられている。そして、このピンはカム溝とガイド溝との双方に係合している。その状態で、カム溝とガイド溝との一方をモータにより移動させると、ピンはガイド溝に沿って移動する。ピンはニードルと一体になって移動するので、ピンがこのように移動すると、ニードルも共に移動することになる。
【先行技術文献】
【特許文献】
【０００５】
【特許文献１】実開平５−１７３３９号公報（図２）
【発明の概要】
【発明が解決しようとする課題】
【０００６】
上記従来の火力調節装置では、使用するガス種が変更されると、ガス種毎に単位体積あたりの発熱量や供給される１次圧が異なるため、火力調節範囲内での開度を変更しなければならない。そのため、ニードルを交換する必要が生じる。
【０００７】
このようなガス種の変更は既に使用されているガスコンロに対して行われる場合が多いため、既に使用されているニードルを装置本体から取り出し、新たなニードルに交換する作業を行う必要がある。そして、このような交換作業は、ガスコンロが使用されている現場で行われる場合も多い。
【０００８】
ところが、上記従来の火力調節装置では、ニードルを取り出すためには、モータ、カム溝、ガイド溝等の部品を個々に取り外す必要があり、また、ニードルを交換した後はこれら取り外した部品を全て順次組み付けなければならず、作業が非常に煩雑になるという不具合が生じる。
【０００９】
そこで本発明は、上記の問題点に鑑み、上述のような不具合が生じない火力調節装置を提供することを課題とする。
【課題を解決するための手段】
【００１０】
上記課題を解決するために本発明による火力調節装置は、進退することによりガスの流量を増減するニードルを備えると共に、ニードルと共に進退するピンをニードルの進退方向に対して直角に突設し、ニードルの進退方向に対して所定の角度で交差するカム溝と、ニードルの進退方向に対して平行なガイド溝との双方にピンを係合させ、カム溝とガイド溝とのいずれか一方を他方に対してモータにより変位させることにより、ピンを介してニードルを進退させる火力調節装置において、モータとカム溝およびガイド溝とをサブアッセンブリとして一体に組み付け、ニードルが収納されている装置本体に対して着脱自在に設けると共に、サブアッセンブリを装置本体から取り外す際に、火力調節範囲から外れた位置にカム溝およびガイド溝から上記ピンが外れてサブアッセンブリを取り外してもニードルが装置本体内に残留する分解位置を設定したことを特徴とする。
【００１１】
モータとカム溝およびガイド溝とをサブアッセンブリとして一体に組み付けているので、サブアッセンブリを１個の単位として取り外すだけでニードルを交換できる状態になる。ただし、カム溝およびガイド溝とニードルとはピンを介して連結されているので、サブアッセンブリを取り外す際にニードルもサブアッセンブリに連結されたままの状態で装置本体から引き抜かれてしまう。すると、新たなニードルを装置本体内にセットする際に、サブアッセンブリに連結された状態で作業を行わなければならない。そこで、サブアッセンブリを装置本体から取り外す際に、火力調節範囲から外れた位置にカム溝およびガイド溝から上記ピンが外れてサブアッセンブリを取り外してもニードルが装置本体内に残留する分解位置を設定した。
【００１２】
なお、上記ニードルとピンとの間に緩衝機構を設けて、ニードルが前進端まで移動し装置本体に当接した状態で、さらにモータがピンを前進させる場合に緩衝機構によってピンのみを前進させてモータのトルクの上昇を緩和するように構成してもよい。
【発明の効果】
【００１３】
以上の説明から明らかなように、本発明は、サブアッセンブリを一体として装置本体から取り外し、また取り付けることができるので、ニードル交換作業の工数を軽減することができる。
【図面の簡単な説明】
【００１４】
【図１】火力調節装置の外観を示す斜視図
【図２】ニードル周りの構成を示す部分断面図
【図３】ピンの位置を示す図
【図４】ニードルの抜け止め構造を示す図
【発明を実施するための形態】
【００１５】
図１および図２を参照して、１は本発明による火力調節装置である。この火力調節装置１の上部には鋳物製の装置本体２が設けられている。この装置本体２は筒状であり、内部にニードル３が内蔵されている。このニードル３は図２において左右方向に進退することができる。そして、このニードル３の位置によって火力調節装置１から図外のバーナに供給されるガスの流量を増減することができる。
【００１６】
装置本体２には段部２１が形成されており、この段部２１にニードル３の先端段部３ａが当接する位置がニードルの前進端位置である。そして、ニードル３が前進端位置にある状態ではバーナに供給されるガスの流量が最小となり、バーナの火力は小火状態にある。そしてその状態から、ニードル３が図２において右方向に後退すると、バーナに供給されるガスの流量が増加し、バーナの火力が大きくなる。そして、所定の後退端位置まで後退すると、バーナに供給されるガスの流量が最大となりバーナの火力は大火状態になる。
【００１７】
ニードル３の後部にはニードルクッション４が取り付けられている。このニードルクッション４はニードル３のストレート部３１に係合しており、ニードルクッション４はストレート部３１に沿って移動することができる。また、ニードル３とニードルクッション４との間にはコイル状のバネ４２が取り付けられており、このバネ４２の付勢力はニードル３とニードルクッション４の間隔が開く方向に作用している。
【００１８】
また、ニードルクッション４にはピン４１が設けられている。このピン４１はニードル３の進退方向に対して直角方向である上方に向かって突出している。そして、ピン４１の先端は装置本体２の外部に至っている。
【００１９】
このピン４１には２個の部材が係合している。一方はガイド溝部材７であり、他方はカム溝部材８である。ガイド溝部材７にはガイド溝７１が形成されており、ピン４１はこのガイド溝７１に挿通されている。また、他方のカム溝部材８にはカム溝８１が形成されており、ピン４１はこのカム溝８１にも挿通されている。
【００２０】
ガイド溝７１はニードル３の進退方向に対して平行に形成されている。一方、カム溝８１はニードル３の進退方向に対して所定の角度で交差するように形成されている。ガイド溝部材７はステッピングモータ６の回転軸に固定されており、ステッピングモータ６によって揺動することができる。そして、サブアッセンブリのベースとなるステイ５に対してステッピングモータ６とカム溝部材８とが固定されており、ガイド溝部材７はステッピングモータ６を介してステイ５に保持されることになる。したがって、ステイ５をベースとしてモータ６、ガイド部材７、カム溝部材８がサブアッセンブリとして一体に組み付けられている。そして、このステイ５は装置本体２に対してねじ止めされており、したがって、ステイ５を装置本体２から取り外すことによりサブアッセンブリを一体として装置本体２から取り外すことができ、また、この一体となったサブアッセンブリをステイ５を介して装置本体２に取り付けることができる。なお、ガイド溝部材７にはピン４１が外方に抜けないように抜け止め片７２が形成されている。
【００２１】
上記構成では、ステッピングモータ６を作動させるとガイド溝部材７が揺動する。すると、ピン７はガイド溝７１とカム溝８１との双方に貫通しているため揺動しながら進退する。上述のように、ピン４１が設けられているニードルクッション４はニードル３に係合しているので、ピン４１が移動すればニードルクッション４と共にニードル３が進退する。なお、ニードル３が段部２１に当接する前進端位置では、ニードルクッション４がさらに前進してもバネ４２が縮んで緩衝するため、ステッピングモータ６に多大なトルクが生じることはない。
【００２２】
図３を参照して、通常の作動状態ではピン４１は小火と大火とで挟まれた火力調節範囲内を移動する。供給されるガスの種類が変更される場合には、ニードル３を新しいガス種に応じたものに交換する必要がある。ニードル３を交換するためには上述のサブアッセンブリを装置本体２から取り外さなければならない。ところが、上述のように、ピン４１がガイド溝７１とカム溝８１とに挿通されているので、サブアッセンブリとピン４１とが連結された状態となっており、サブアッセンブリを装置本体２から取り外すと、ピン４１を介してニードル３も引きずられて装置本体２から抜き出されてしまう。このような場合、新しいニードル３は外部でサブアッセンブリに連結し、その状態で装置本体２に挿入しなければならず、作業が困難になる。
【００２３】
そこで、図３に示すように、火力調節範囲を大火側に外れた位置に分解位置を設定した。具体的には、分解位置におけるカム溝８１の前進側の部分を切除して、ピン４１がこの分解位置にある状態ではサブアッセンブリを装置本体２から取り外す際にピン４１がカム溝８１によって拘束されないようにした。なお、ガイド溝７１は上述のようにニードル３の進退方向に対して平行に形成されているので、サブアッセンブリを手前に引き離す際にガイド溝７１がピン４１を拘束することはない。したがって、ピン４１が分解位置にあれば、サブアッセンブリを手前に引き離す際にピン４１はその場に残留してニードル３は装置本体２内に残ることになる。
【００２４】
サブアッセンブリを取り外した後、ピン４１を摘んでニードルクッション４と共にニードル３を装置本体２から引き出し、新たなニードル３とニードルクッション４とを連結した状態で装置本体２内に挿入する。そして、ピン４１を分解位置に合わせた状態でサブアッセンブリを元の状態になるように装置本体２に組み付ける。以上の構成でニードル３を新しいニードル３に交換することができる。
【００２５】
ところで、ピン４１を分解位置に移動させない状態でサブアッセンブリを取り外すと上述のようにニードル３もサブアッセンブリに連結されて引き出されてしまう。そこで、ピン４１が分解位置にない状態ではニードル３が引き出されないようにすることが望まれる。このため、例えば図４に示すように、ケース本体２に抜け止め部２２を設けて、ピン４１が分解位置にない状態で装置本体２から引き出されようとすると、ピン４１が抜け止め部２２に当接してピン４１がそれ以上手前に移動しないようにすることが望ましい。この場合、切欠き部２３を設けておき、ピン４１が分解位置にある場合にはピン４１がこの切欠き部２３を通って手前に引き出されるようにしておく。
【００２６】
なお、本発明は上記した形態に限定されるものではなく、本発明の要旨を逸脱しない範囲内において種々の変更を加えてもかまわない。たとえば、上記実施の形態では、カム溝部材８を固定してガイド溝部材７を移動させたが、逆にガイド溝部材７を固定してカム溝部材８を移動させてもよい。
【符号の説明】
【００２７】
１  ガス調節装置
２  装置本体
３  ニードル
４  ニードルクッション
６  ステッピングモータ
４１  ピン
７１  ガイド溝
８１  カム溝
【図１】
2010276288.tif 000003
【図２】
2010276288.tif 000004
【図３】
2010276288.tif 000005
【図４】
2010276288.tif 000006